(57)【要約】【課題】モータの出力軸に対するフレキシブルシャフトの着脱を簡単な操作のみで、安全に行うことができるコンクリートバイブレータを提供する。【解決手段】出力軸２の先端部２ａにネック部２ｂが形成され、フレキシブルシャフトの端部にカプラー６が取り付けられ、カプラー６は、内側中央に嵌合部１１ａが形成された筒状本体１１と、軸線方向へ移動可能な状態で筒状本体１１の外側に装着されたスライドカバー１２と、貫通孔１１ｂ内に配置されたボールラッチ１４とを有し、スライドカバー１２を軸線方向へ移動させることにより、ボールラッチ１４を嵌合部１１ａの内方へ突出させて、嵌合部１１ａ内に進入させた出力軸２の先端部２ａのネック部２ｂに係合できるように構成した。【選択図】図２
0003207481.tif 000002
【実用新案登録請求の範囲】
【請求項１】
モータ及び操作スイッチを有するモータ部と偏心振子を内蔵する振動筒とがフレキシブルシャフトによって接続され、このフレキシブルシャフトを介してモータの出力軸から偏心振子へ回転駆動力が伝達されるように構成されたコンクリートバイブレータにおいて、
モータの出力軸の先端部にネック部が形成されるとともに、フレキシブルシャフトのモータ部側の端部にカプラーが取り付けられ、
カプラーは、内側中央に嵌合部が形成された筒状本体と、軸線方向へ移動可能な状態で筒状本体の外側に装着されたスライドカバーと、筒状本体に形成されている貫通孔内に配置されたボールラッチとを有し、
スライドカバーを軸線方向へ移動させることにより、ボールラッチを嵌合部の内方へ突出させて、嵌合部内に進入させたモータの出力軸の先端部のネック部に係合できるように構成されていることを特徴とするコンクリートバイブレータ。
【請求項２】
スライドカバーの内周面に小径部と大径部が形成され、
スライドカバーが基本ポジションにあるとき、小径部により、ボールラッチの一部が筒状本体の内側面から内方へ突出して、筒状本体の嵌合部内に進入させた出力軸の先端部のネック部に係合し、
スライドカバーがフリーポジションにあるとき、大径部により、ボールラッチが半径方向外側へ移動可能な状態となり、出力軸の先端部のネック部との係合を解除できるように構成されていることを特徴とする、請求項１に記載のコンクリートバイブレータ。
【請求項３】
筒状本体に、中心軸線周りに１８０°の間隔を置いて貫通孔が二つ形成され、これらの貫通孔内にボールラッチが一つずつ配置されていることを特徴とする、請求項１又は請求項２に記載のコンクリートバイブレータ。
【考案の詳細な説明】
【技術分野】
【０００１】
本考案は、型枠内に打設されたコンクリート中に混入した気泡を除去するために用いられるコンクリートバイブレータに関し、特に、フレキシブルシャフトを介してモータから偏心振子へ回転駆動力が伝達されるように構成された軽便型のコンクリートバイブレータに関する。
【背景技術】
【０００２】
コンクリートバイブレータのうち、いわゆる「軽便型」と称されるものは、偏心振子を内蔵した振動筒と、モータ部（モータ及び操作スイッチ等を有する）とが、フレキシブルシャフトによって接続され、このフレキシブルシャフトを介してモータから偏心振子へ回転駆動力が伝達されるように構成されている（例えば、特許文献１）。
【先行技術文献】
【特許文献】
【０００３】
【特許文献１】特開２０００−２７４４０号公報
【考案の概要】
【考案が解決しようとする課題】
【０００４】
従来の軽便型コンクリートバイブレータは、モータの出力軸とフレキシブルシャフトとが、ネジ締結される構造（モータの出力軸の先端部側に雄ネジ加工が施されるとともに、フレキシブルシャフト側には、内周面に雌ネジ加工が施されたソケットが固定され、フレキシブルシャフト側のソケットをモータの出力軸に被せて締結する構造）となっていたため、フレキシブルシャフトの着脱時においては、出力軸が回転しないようにレンチで押さえつつ、フレキシブルシャフトのソケットをプライヤで掴んで所定方向へ回転させる作業が必要であり、非常に煩雑であった。
【０００５】
また、出力軸の雄ネジ及びソケットの雌ネジの螺線は、出力軸を正方向（モータの駆動時における回転方向）に回転させた際に、更に深く締まる向きに形成されていたため、コンクリートバイブレータを長時間にわたって使用すると、出力軸とソケットとが強固に螺着された状態となってしまうことがあり、この場合、フレキシブルシャフトを取り外す際に相当な力を加えることが必要となり、非常に煩わしく危険であった。
【０００６】
本考案は、上記のような従来技術における課題を解決しようとするものであって、レンチやプライヤ等の工具を必要とせず、モータの出力軸に対するフレキシブルシャフトの着脱を簡単な操作のみで、安全に行うことができるコンクリートバイブレータを提供することを目的とする。
【課題を解決するための手段】
【０００７】
本考案に係るコンクリートバイブレータは、モータ及び操作スイッチを有するモータ部と偏心振子を内蔵する振動筒とがフレキシブルシャフトによって接続され、このフレキシブルシャフトを介してモータの出力軸から偏心振子へ回転駆動力が伝達されるように構成され、モータの出力軸の先端部にネック部が形成されるとともに、フレキシブルシャフトのモータ部側の端部にカプラーが取り付けられ、カプラーは、内側中央に嵌合部が形成された筒状本体と、軸線方向へ移動可能な状態で筒状本体の外側に装着されたスライドカバーと、筒状本体に形成されている貫通孔内に配置されたボールラッチとを有し、スライドカバーを軸線方向へ移動させることにより、ボールラッチを嵌合部の内方へ突出させて、嵌合部内に進入させたモータの出力軸の先端部のネック部に係合できるように構成されていることを特徴としている。
【０００８】
尚、スライドカバーの内周面に小径部と大径部が形成され、内蔵されたスプリングの付勢力によりスライドカバーが基本ポジションにあるとき、小径部により、ボールラッチの一部が筒状本体の内側面から内方へ突出して、筒状本体の嵌合部内に進入させた出力軸の先端部のネック部に係合し、スライドカバーがフリーポジションにあるとき、大径部により、ボールラッチが半径方向外側へ移動可能な状態となり、出力軸の先端部のネック部との係合を解除できるように構成されていることが好ましく、また、筒状本体の貫通孔は、中心軸線周りに１８０°の間隔を置いて二つ形成され、これらの貫通孔内にボールラッチが一つずつ配置されていることが好ましい。
【考案の効果】
【０００９】
本考案に係るコンクリートバイブレータは、モータの出力軸に対するフレキシブルシャフトの着脱を、レンチやプライヤ等の多種の工具を用いることなく、軽微な工具と簡単な操作のみで、かつ、安全に行うことができる。
【図面の簡単な説明】
【００１０】
【図１】図１は、本考案に係るコンクリートバイブレータにおけるモータの出力軸２とフレキシブルシャフト４との接続部周辺の内部構造を示す断面図である。
【図２】図２は、図１に示すカプラー６（基本ポジション）の断面図である。
【図３】図３は、図１に示すカプラー６（フリーポジション）の断面図である。
【図４】図４は、図１に示すカプラー６（出力軸２の先端部２ａが嵌合した状態）の断面図である。
【考案を実施するための形態】
【００１１】
以下、添付図面に沿って本考案の実施形態について説明する。図１は、本考案に係るコンクリートバイブレータにおける、モータの出力軸２とフレキシブルシャフト４との接続部周辺の内部構造を示す断面図である。図示されているように、出力軸２は、モータ部１（図示しないモータ、操作スイッチ、及び、把持部等を有する）のフロントフランジ３の中心を貫くように、かつ、先端がモータ部１の前方（図１において左側、以下同じ）へ突出するように、回転可能な状態で保持されている。
【００１２】
フレキシブルシャフト４は、フレキシブルホース５内に挿通され、回転可能な状態で保持されている。フレキシブルシャフト４の一方側（モータ部１側）の端部には、カプラー６が取り付けられており、フレキシブルホース５の一方側（モータ部１側）の端部には、カプラー６の外側を取り囲む筒状のホースカップリング７が固定されている。尚、フレキシブルホース５の他方側の端部は、偏心振子が内蔵されている振動筒（図示せず）に接続されており、フレキシブルシャフト４の他方側の端部は、振動筒の内部において回転可能な状態で保持されている偏心振子（図示せず）に接続されている。
【００１３】
出力軸２とフレキシブルシャフト４とは、出力軸２の先端部が、フレキシブルシャフト４の先端のカプラー６内に嵌合することによって連結され、モータの回転駆動力が出力軸２からフレキシブルシャフト４へ伝達されるようになっている。また、モータ部１とフレキシブルホース５とは、筒状のフランジ突起部８（出力軸２の外側を取り囲み、フロントフランジ３からモータ部１の前方へ向かって突出するように形成されている）の先端に、ホースカップリング７の先端を突き合わせた状態で、それらの外側にロックナット９を装着し、ロックナット９の内周面に形成されている雌ネジとフランジ突起部８の外周面に形成されている雄ネジとを螺着させ、締め付けることによって連結される。
【００１４】
本実施形態のコンクリートバイブレータは、モータの出力軸２に対するフレキシブルシャフト４の着脱を軽微な工具と簡単な操作のみで、安全に行うことができる。この点について詳細に説明すると、フレキシブルシャフト４の先端に取り付けられているカプラー６は、図２（カプラー６の断面図）に示すように、筒状本体１１と、スライドカバー１２と、連結部１３と、二つのボールラッチ１４（鋼球）と、スプリング１５と、止め輪１６とによって構成されている。一方、出力軸２の先端部２ａには、他の部位よりも直径が小さいネック部２ｂが形成されている。
【００１５】
カプラー６の筒状本体１１の内側中央には、出力軸２の先端部２ａを先端側（図２において右側、以下同じ）から進入させ、嵌合させることができるスペース（嵌合部１１ａ）が形成されている。尚、出力軸２の先端部２ａ及び嵌合部１１ａはいずれも、せん断面（中心軸線と直交する断面）が六角形となっている。また、筒状本体１１には、嵌合部１１ａから外周面まで貫通する二つの円形の貫通孔１１ｂが、中心軸線周りに１８０°の間隔を置いて（中心軸線を挟んで対向する位置に）形成されている。そして、これらの貫通孔１１ｂ内には、ボールラッチ１４が一つずつ配置されている。
【００１６】
スライドカバー１２の内周面には、内径が小さい小径部１２ａが形成されており、また、小径部１２ａよりも先端側の位置には、内径が大きい大径部１２ｂが形成されている。更に、小径部１２ａと大径部１２ｂとの間には、小径部１２ａから大径部１２ｂにかけて内径が次第に大きくなるテーパ部１２ｃが形成されている。スライドカバー１２は、所定範囲内で軸線方向へ移動可能な状態で、筒状本体１１の外側に装着されており、かつ、スプリング１５（筒状本体１１とスライドカバー１２との間に配置されている）によって先端側の方向へ付勢されている。
【００１７】
スライドカバー１２は、スプリング１５の付勢力に従って最も先端側の位置（基本ポジション）にあるとき、図２に示すように、小径部１２ａが筒状本体１１の貫通孔１１ｂの外側に位置するように構成されている。尚、ボールラッチ１４の直径は、貫通孔１１ｂの深さ（筒状本体１１の厚さ）よりも大きく、また、小径部１２ａは、内周面が筒状本体１１の外周面に沿った位置に形成されているため、スライドカバー１２が基本ポジションにあるとき（小径部１２ａが貫通孔１１ｂの外側に位置しているとき）、ボールラッチ１４の一部が、筒状本体１１の内側面から内方（嵌合部１１ａの中心側）へ向かって突出した状態となる。
【００１８】
このため、スライドカバー１２が基本ポジションにあるとき、ボールラッチ１４が障害となって、出力軸２の先端部２ａを嵌合部１１ａの奥まで進入させることはできないが、スライドカバー１２をスプリング１５の付勢力に抗して後退させ（図３に示すように左側に移動させ）、スライドカバー１２のテーパ部１２ｃ及び大径部１２ｂが、筒状本体１１の貫通孔１１ｂの外側に位置するような状態（フリーポジション）とすると、ボールラッチ１４が半径方向外側へ移動可能な状態となり、嵌合部１１ａ内への出力軸２の先端部２ａの進入が可能となる。
【００１９】
この状態で、ネック部２ｂが貫通孔１１ｂ（及びボールラッチ１４）に対応する位置まで出力軸２の先端部２ａを進入させた後、スライドカバー１２を基本ポジションに復帰させると、図４に示すようにボールラッチ１４がネック部２ｂに係合し、その結果、出力軸２の先端部２ａをカプラー６（嵌合部１１ａ）内から抜き出すことができない状態となり、出力軸２とフレキシブルシャフト４とがしっかりと連結された状態となる。
【００２０】
そして、図４に示す状態から、スライドカバー１２を図３に示すフリーポジションまで移動させると、ボールラッチ１４が半径方向外側へ移動可能な状態となり、ボールラッチ１４とネック部２ｂとの係合が解除され、嵌合部１１ａ内から出力軸２の先端部２ａを抜き出すことが可能となる。尚、スライドカバー１２と筒状本体１１とのスライド機能の維持は、止め輪１６にて拘束され、保持されている。
【００２１】
上述の通り従来の軽便型コンクリートバイブレータにおいては、フレキシブルシャフトの着脱時において、出力軸が回転しないようにレンチで押さえつつ、フレキシブルシャフトのソケットをプライヤで掴んで所定方向へ回転させる作業が必要であったところ、本実施形態の軽便型コンクリートバイブレータにおいては、スライドカバー１２を、図２に示す基本ポジションから図３に示すフリーポジションに移動させるという極めて簡単な操作のみで、出力軸２に対するフレキシブルシャフト４の着脱を行うことができ、しかも、着脱作業を安全に行うことができる。
【符号の説明】
【００２２】
１：モータ部、
２：出力軸、
２ａ：先端部、
２ｂ：ネック部、
３：フロントフランジ、
４：フレキシブルシャフト、
５：フレキシブルホース、
６：カプラー、
７：ホースカップリング、
８：フランジ突起部、
９：ロックナット、
１１：筒状本体、
１１ａ：嵌合部、
１１ｂ：貫通孔、
１２：スライドカバー、
１２ａ：小径部、
１２ｂ：大径部、
１２ｃ：テーパ部、
１３：連結部、
１４：ボールラッチ、
１５：スプリング、
１６：止め輪
【図１】
0003207481.tif 000003
【図２】
0003207481.tif 000004
【図３】
0003207481.tif 000005
【図４】
0003207481.tif 000006